【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
着座装置と共に用いられるヘッドレスト支持アセンブリであって、
前記着座装置の上面を有するバックレスト内に配置されたヘッドレスト支持部材と、
前記ヘッドレスト支持部材に、前記バックレストの上面に正接する軸と実質的に平行な軸を中心として枢動するように枢着されており、かつ、内側および外側を有するヘッドレストと、
前記内側に枢結された第１のサイドヘッドレスト部と、
前記外側に枢結された第２のサイドヘッドレスト部と、
を含んでおり、
前記第１および第２のサイドヘッドレスト部は、前記バックレストの上面に正接する前記軸と交差する軸を中心としてそれぞれ枢動する、
ヘッドレスト支持アセンブリ。
【請求項２】
前記第１および第２のサイドヘッドレスト部は、前記バックレストの上面に正接する前記軸と実質的に垂直な軸を中心としてそれぞれ枢動する、
請求項１に記載のヘッドレスト支持アセンブリ。
【請求項３】
前記ヘッドレストは少なくとも１つのヒンジによって前記第１および第２のサイドヘッドレスト部に連結されている、
請求項１に記載のヘッドレスト支持アセンブリ。
【請求項４】
前記ヘッドレスト支持部材は少なくとも１２インチの長さを有する、
請求項１に記載のヘッドレスト支持アセンブリ。
【請求項５】
前記ヘッドレスト支持部材はおよそ４分の３インチの直径を有する、
請求項１に記載のヘッドレスト支持アセンブリ。
【請求項６】
前記ヘッドレスト支持部材に取り付けられた取付ブラケットをさらに含み、
前記ヘッドレストは前記取付ブラケットに取り付けられている、
請求項１に記載のヘッドレスト支持アセンブリ。
【請求項７】
前記バックレストは平面を規定し、
前記ヘッドレスト支持部材は支持ハウジングと入れ子式の関係に配置されており、
前記ヘッドレスト支持部材は前記バックレストにより規定される平面内において伸びることが可能である、
請求項１に記載のヘッドレスト支持アセンブリ。
【請求項８】
前記ヘッドレスト支持部材および前記支持ハウジングは管状である、
請求項７に記載のヘッドレスト支持アセンブリ。
【請求項９】
前記支持ハウジングはプラスチック製である、
請求項７に記載のヘッドレスト支持アセンブリ。
【請求項１０】
前記ヘッドレスト支持部材に連結されたロック機構をさらに含む、
請求項１に記載のヘッドレスト支持アセンブリ。
【請求項１１】
前記バックレストは、互いに離間し実質的に平行な第１および第２のサイドレールを含み、
貫通開口部を有する第１の支持ブラケットが前記第１のサイドレールを前記第２のサイドレールに連結しており、
前記ヘッドレスト支持部材は前記支持ブラケットの開口部を通って伸びている、
請求項１に記載のヘッドレスト支持アセンブリ。
【請求項１２】
前記第１の支持ブラケットと離間し実質的に平行な、開口部を有する第２の支持ブラケットが、前記第１のサイドレールを前記第２のサイドレールに連結し、前記開口部は前記第１の支持ブラケットの開口部と実質的に位置合わせされており、
前記ヘッドレスト支持部材は前記第１および前記第２の支持ブラケットの開口部を通って伸びている、
請求項７に記載のヘッドレスト支持アセンブリ。
【請求項１３】
着座装置と共に用いられるヘッドレスト支持アセンブリであって、
前記着座装置の上面を有するバックレスト内において互いに離間し実質的に平行に配置された第１および第２のヘッドレスト支持部材と、
前記第１および第２のヘッドレスト支持部材の両方に、前記バックレストの上面に正接する軸と実質的に平行な軸を中心として枢動するように枢着されており、内側および外側を有するヘッドレストと、
前記内側に枢結された第１のサイドヘッドレスト部と、
前記外側に枢結された第２のサイドヘッドレスト部と、
を含んでおり、
前記第１および第２のサイドヘッドレスト部は、前記バックレストの上面に正接する前記軸と交差するサイドヘッドレスト軸を中心としてそれぞれ枢動する、
ヘッドレスト支持アセンブリ。
【請求項１４】
前記サイドヘッドレスト軸は、前記バックレストの上面に正接する軸に実質的に直交する方向に配向される、
請求項１３に記載のヘッドレスト支持アセンブリ。
【請求項１５】
ヘッドレスト支持アセンブリ用のロック機構であって、
貫通開口部を有し、周縁によって画定される偏心状カムと、
貫通開口部および第１の面に配置されたケーシングを有するロッククリップであって、前記カムが前記ロック機構と回動可能に設置されており、前記ロッククリップの前記開口部は前記カムの前記開口部と位置合わせされて配置されているロッククリップと、
前記ケーシング内に配置されたばねと、
前記ばねに隣接して前記ケーシング内に配置されたカム接触部材とを含む、
ロック機構。
【請求項１６】
ヘッドレスト支持部材が前記ロッククリップおよび前記カムの両方の貫通開口部を通って伸び、前記ヘッドレスト支持部材は複数の離間した切欠部をその長さに沿って有し、前記複数の切欠部はそれぞれ前記ロッククリップを収容可能である、
請求項１５に記載のロック機構。
【請求項１７】
前記カムおよび前記ロッククリップはプラスチック製である、
請求項１５に記載のロック機構。
【請求項１８】
前記カム接触部材は弾丸形状を有する、
請求項１５に記載のロック機構。
【請求項１９】
支持ハウジングが前記ヘッドレスト支持部材を囲み、
前記ロッククリップは前記支持ハウジングに連結されており、
前記カムは前記ロッククリップ上に配置されている、
請求項１５に記載のロック機構。
【請求項２０】
ヘッドレスト支持部材に接触するヘッドレスト解放機構を含むヘッドレスト解放機構であって、
第１の支持ハウジングと、
前記第１の支持ハウジング内に配置されており、ばねを収容可能な端部を有し、前記ばねが前記端部に取り付けられている第１のセクションと、
前記ばねに取付可能な、前記第１のセクションに近接した端部を有し、かつ切欠部を有する第２のセクションと、
前記第１の支持ハウジングと入れ子式の関係にある前記第２の支持ハウジングと、
を含むヘッドレスト解放機構。
【請求項２１】
前記第１の支持ハウジングは一方の端部に開口部を有し、
前記ヘッドレスト解放機構の前記第１のセクションは前記第１の支持ハウジングの開口部内に配置され、
前記ばねは前記端部に取り付けられ、前記第１のセクションによって部分的に収容されている、
請求項２０に記載のヘッドレスト解放機構。
【請求項２２】
前記ヘッドレスト解放機構の前記第１および第２のセクションはそれぞれ外縁部を有し、
前記第１および第２のセクションのそれぞれの端部は前記外縁部から後退している、
請求項２０に記載のヘッドレスト解放機構。
【請求項２３】
前記ばねは、前記ヘッドレスト解放機構の前記第１および第２のセクションが互いに嵌合した際に該セクションによって収容される、
請求項２０に記載のヘッドレスト解放機構。
【請求項２４】
前記第２の支持ハウジングは、前記ヘッドレスト解放機構が前記ヘッドレスト支持部材の前記第１および第２の支持ハウジング内に収容されるように前記第１の支持ハウジングに連結されている、
請求項２０に記載のヘッドレスト解放機構。
【請求項２５】
前記ヘッドレスト解放機構の前記第１および第２のセクションは、ボルトによって結合されている、
請求項２０に記載のヘッドレスト解放機構。